(57)【特許請求の範囲】
【請求項１】
配電盤に接続されて、停電復電の制御を行う配電盤の機能を試験する試験装置において、主回路の受電遮断器に試験電圧を供給し、試験ターミナルの負荷側に、通常運転の時にかかるであろうと同じ電圧を供給する、試験電源と、試験電源から前記受電遮断器を通して供給され計器用変圧器で変圧された試験電圧を試験装置の取り込む試験装置受電端と、前記試験電源から試験電圧を出力する出力端と前記配電盤の試験用ターミナルの電源側から計器用変圧器で変圧された試験電流を受電する受電端と、受電端に流れる電流の量に応じて、配電盤の計器用変圧器を通さないで直接前記試験電源の電圧を試験用ターミナルの負荷側に供給する切換手段により構成される試験装置。
【請求項２】
試験用ターミナルの電源側から出力される試験電圧の各相にそれぞれに負荷抵抗と電流検出センサを付し、前記電流センサにより駆動される接点により、試験電源からの電圧を計器用変圧器を通さず前記試験用ターミナルの負荷側に供給することを特徴とする請求項１の試験装置。
【請求項３】
配電盤の受電端から実電圧ではない低圧の試験電圧を供給し、試験用ターミナルの電源側から試験電流を取り出して、その試験電流に応じて、補助リレーにより、実電源を受電したら出るであろう計器用変圧器の二次電圧を試験電源から直接試験用ターミナルの負荷側に供給し、試験電圧に応じた配電盤の機能に異常がないかを試験する配電盤の試験方法。
【発明の詳細な説明】
【技術分野】
【０００１】
本発明は、配電盤の試験用ターミナルに取り付けて配電盤の試験を実電圧を印加せずに配電盤の動作を試験する配電盤試験装置に関する。
【背景技術】
【０００２】
配電盤の交流電圧回路（計器用変圧器１３二次回路１３２）の試験には、主回路の受電遮断器１２を閉路して、実電圧を計器用変圧器１３の一次側１３１に直接印加して試験用ターミナル１１の電源側１１１から確認を行う一次試験と、図２に示すように計器用変圧器二次試験用ターミナル１１を開放した後、実系統とは別の試験電源（ＡＣ１１０Ｖ）３を用意し、受電遮断器１２が投入した条件で補助リレー７等を駆動し、その接点を介して試験用ターミナル１１の二次回路１１２に電圧が印加されるよう模擬回路を組み主回路とは電気的に切り離した状態で試験を行う方法がある。
【０００３】
主回路に実電圧を直接印加して確認を行う一次試験は、実加圧による機器の異常有無の他通電時における各計器の振れを確認するために行われており、試験電源を計器用変圧器二次回路１３２に印加して行う方法は高圧配電盤などで電圧継電器１６による停復電検出およびこれに伴う配電線遮断器の自動開放・投入動作の確認試験の際などに用いられ、実電圧の印加による感電事故防止及び、試験の簡素化のため図２の様な模擬回路が組まれている。
【０００４】
図２においては主回路には電圧を印加しない状態で試験を行う。この場合、受電遮断器１２の状態信号を受電遮断器の補助接点１２１により補助リレー７で増幅し、その接点１４で計器用変圧器二次側の試験用ターミナルに接続された試験電源を開閉すれば、受電用遮断器１２の開閉に連動して計器用変圧器二次側に電圧が印加されるため模擬的に停電・復電状態を形成することが出来計器用変圧器二次側に接続されている電圧計及び電圧継電器の動作確認が出来る。
【０００５】
電圧継電器１６は停電状態を検知すると付随するシーケンス回路により停電表示や警報の発令を行うと共に配電線遮断器１７の自動遮断を行っている。同様に復電状態を検知すると復電表示や警報の発令を行うと共に配電線の遮断器１７の自動投入を行っている。
計器用変圧器二次回路に接続された試験電源を入り切りすれば、これら一連の動作確認を行うことが出来るが、受電点〜受電遮断器〜計器用変圧器〜テストターミナル間の電気的確認は同時にされず、個別にテスタなどによる導通確認が一般的である。そのため、導通確認に時間を費やし非効率な作業であった。また、導通作業は個別に確認作業をしており、接続確認にミスもあった。
主回路に実電圧を印加して設備を運用状態に保ちながら電流電圧の計測をする方法が知られているが（例えば特許文献１参照）、本発明は配電盤を回線から分離して、より完全に安全に配電盤の試験を行うものであり、このような技術は従来知られていない。
【０００６】
【特許文献１】特開２００５−８０３２０号公報
【発明の開示】
【発明が解決しようとする課題】
【０００７】
図２は受電が１回線の場合を表しているが、配電盤には複数回線の受電方式（常用−予備、スポットネットワークなど）や、発電機との切り替えを有する系統などもあり、これらの受電方式については設備形態に応じて模擬回路を組まねばならない。
主回路に直接実電圧を印加する一次試験は、高圧配電盤などでは試験電圧が高くなるので試験機材が大がかりなものとなり、感電の危険性を伴う。
【課題を解決するための手段】
【０００８】
本発明によれば、計器用変圧器二次側１３２の試験用ターミナルの電源側１１１に接続する試験装置受電端９１と、前記受電端９１から試験電流を受ける負荷抵抗５と負荷抵抗を流れる電流を検出する電流検出センサ６と、配電盤の交流電圧回路試験時に主回路に直接試験低電圧を印加する低圧印加端子８と、それに試験電流を供給する試験電源４と、試験電流により計器用変圧器二次側１３２に発生する電圧により負荷抵抗５に流れる電流を検出する電流検出センサ６と、その出力信号により計器用変圧器二次側に試験電源を供給するための制御信号を出力する補助リレー７と、前記補助リレーの制御信号で前記試験電源の電流を制御する接点１４と、前記接点１４により制御された、前記試験電源の電流を試験用端末の二次側に接続する試験電圧出力端末９により、計器用変圧器二次側に接続された電圧継電器や計器に主回路に実電圧が印加されたときと同一の電圧が印加される様にした試験装置が提供される。
【発明の効果】
【０００９】
配電盤の主回路に直接試験電圧を印加するため、電圧継電器１６による停復電検出や配電線遮断器１７の自動開放・投入動作試験を行う場合、遮断器１２の状態信号を取り込んだ模擬回路を組まなくてもよいので、画一的な試験回路にすることができ、試験の効率化が図れる。
高圧配電盤であっても主回路に印加するのは低電圧（ＡＣ１１０Ｖ）であり、試験機材も軽微なもので済み安全性が高く、実運用と同等の条件で継電器の動作試験及び、計器の振れを確認することができる。
【発明を実施するための最良の形態】
【００１０】
本発明は受電点１０に低電圧（ＡＣ１１０Ｖ）を印加しても実電圧印加試験と同等の試験が行えることに着目したものであり、低電圧（ＡＣ１１０Ｖ）印加により高電圧（ここでは６６００Ｖで説明）印加試験と変わらない試験方法である。
【００１１】
受電点１０に低電圧（１１０Ｖ）印加した状態で受電遮断器１２を投入すると計器用変圧器１３一次側１３１に低電圧（１１０Ｖ）印加され、その二次側１３２には変圧比に応じた電圧（１．８３Ｖ）が発生する。この電圧は試験用ターミナル１１一次側１１１にも同様に印加されることになる。試験装置１の電圧出力８を配電盤２の配電盤内部主回路に接続し、試験用ターミナル１１の電源側１１１負荷側１１２を試験装置１に接続すると電源側１１１には各相に負荷抵抗５とそれに直列に接続された電流センサ６が接続され、負荷側１１２には低電圧（１１０Ｖ）が電流検出センサ６の動作接点１４を介して接続される。この状態において計器用変圧器１３に電圧が印加されると計器用変圧器二次側１１２には負荷抵抗５を通じて電流検出センサ６に電流が流れ、センサ６が動作し、低電圧（１１０Ｖ）が試験用ターミナル負荷側１１２に印加される。この試験装置１を使用すれば、主回路に実電圧（６６００Ｖ）を印加することなく、受電点１０〜受電遮断器１２〜計器用変圧器１３〜テストターミナル１１間の電気的な確認が確実に出来る様になる。また、試験用ターミナル１１は試験時には開放され電源側１１１と負荷側１１２は接続されておらず、受電遮断器１２の入り切りにおいて、混触することもない。補助リレー７の左の情報によって、そのまま右の回路の開閉を行っており、主回路に実電圧を印加しなくても同じ条件での試験が可能となっている。
【産業上の利用可能性】
【００１２】
配電盤の受電端に実電圧を印加することなく受電端から受電遮断器、計器用変圧器、配電盤制御手段全てを試験することができる配電盤試験装置及び試験方法に利用可能である。
【図面の簡単な説明】
【００１３】
【図１】本発明の実施の形態に係る配電盤の交流電圧回路（計器用変圧器二次回路）試験回路を示す図である。
【図２】従来の配電盤の交流電圧回路（計器用変圧器二次回路）試験回路を示す図である。
【符号の説明】
【００１４】
１・・・試験装置
２・・・配電盤
３・・・試験電源
４・・・開閉器
５・・・負荷抵抗
６・・・電流検出センサ
７・・・補助リレー
８・・・試験装置１の試験電源電圧出力端
９・・・補助リレー接点を介して引き出された試験電源電圧出力端
９１・・試験装置受電端
１０・・・受電点
１１・・・試験用ターミナル
１１１・・・試験用ターミナル電源側
１１２・・・試験用ターミナル負荷側
１２・・・・受電遮断器
１３・・・計器用変圧器（ＶＴ）
１３１・・ＶＴ一次側
１３２・・ＶＴ二次側
１４・・・補助リレー接点
１５・・・配電盤制御手段
１６・・・電圧継電器
１７・・・配電線遮断器
【図１】
0005082961.tif 000002
【図２】
0005082961.tif 000003